(57)【要約】【課題】低周波特有の皮膚に与える刺激を和らげながら出力の大幅アップを可能にした足裏治療装置を提供する。【解決手段】足裏治療装置は、足裏のツボに電気的刺激を与える電気パルス発生回路部４を備え、該電気パルス発生回路部４は、超長波形パルスによる電圧（電流）を発生可能としている。また、足裏のツボに機械的刺激を与えるバイブレーション発生回路部６、足裏のツボに温熱的刺激を与える遠赤外線発生回路部７それぞれを付加し、電気パルス発生回路部４・バイブレーション発生回路部６・遠赤外線発生回路部７それぞれを遠隔制御するリモートコントロール用の受光部８を備えている。【選択図】          図２
2004329606.tif 000002
【特許請求の範囲】
【請求項１】
足裏のツボに電気的刺激を与える電気パルス発生回路部を備え、該電気パルス発生回路部は、超長波形パルスによる電圧（電流）を発生可能としたことを特徴とする足裏治療装置。
【請求項２】
足裏のツボに相当する位置に電気パルス発生回路部の電極端子を配して成る請求項１記載の足裏治療装置。
【請求項３】
足裏のツボに機械的刺激を与えるバイブレーション発生回路部を加えて成る請求項１または２記載の足裏治療装置。
【請求項４】
足裏のツボに温熱的刺激を与える遠赤外線発生回路部を加えて成る請求項１乃至３のいずれか記載の足裏治療装置。
【請求項５】
電気パルス発生回路部・バイブレーション発生回路部・遠赤外線発生回路部それぞれを遠隔制御するリモートコントロール用の受光部を備えている請求項１乃至４のいずれか記載の足裏治療装置。
【請求項６】
電気パルス発生回路部に接続されるパッド導子を使用可能にする機能切替部を備えている請求項１乃至５のいずれか記載の足裏治療装置。
【請求項７】
足裏のツボに磁気的刺激を与える磁力発生部を加えて成る請求項１乃至６のいずれか記載の足裏治療装置。
【発明の詳細な説明】
【０００１】
【発明の属する技術分野】
本発明は、足裏のツボに対し、電気的刺激、機械的刺激、温熱的刺激、磁気的刺激等を作用させることを可能にした足裏治療装置に関するものである。
【０００２】
【従来の技術】
従来、この種の足裏治療装置としては、足裏のツボに対し、電気的刺激用の電流パルス（電圧パルス）を作用させる技術があり、これによると電気治療パルス発生回路にパルスを数種類の波形と周期にする数種類の回路と、これをそれぞれの導電材に接続する接続回路、および数種類のタイマー回路を加え、本体の上面にはこれらの回路を選択するための調整押釦と、パルスの強さを増減させるための調節ダイヤルを取り付けて、所望の刺激条件を簡単に設定することができるようにし、さらに、その条件を表示パネルに表示させると共に、記憶押釦を取り付けて、その条件を記憶させて、同一の条件で繰り返し治療を行うことができるような構成となっている（例えば、特許文献１参照）。
【０００３】
【特許文献１】
実用新案登録第３０４６４９７号公報
【０００４】
【発明が解決しようとする課題】
しかしながら、このような従来における足裏治療装置では、その殆どが低周波のみを用いたものであり、このため低周波特有の皮膚に与える刺激を和らげることができずに使用される等の問題点を有していた。特に、従来の足裏治療装置に使用される低周波発生器では、自身の出力を下げることで、その強く激しい痛みを与えることを和らげているのが現状であり、このため低周波特有の皮膚に与える刺激を和らげると同時に、出力の大幅アップを図ることは全く不可能であった。
【０００５】
そこで、本発明は叙上のような従来存した諸事情に鑑み創出されたもので、低周波特有の皮膚に与える刺激を和らげながら出力の大幅アップを可能にすることで、効果的に足裏の血行を良好にし、身体の新陳代謝を活発化させ、足裏の治療を安全且つ確実に行えるようにした足裏治療装置を提供することを目的とする。
【０００６】
【課題を解決するための手段】
上述した目的を達成するため、本発明に係る足裏治療装置にあっては、足裏のツボに電気的刺激を与える電気パルス発生回路部を備え、該電気パルス発生回路部は、超長波形パルスによる電圧（電流）を発生可能としたことによって、上述した課題を解決したものである。
【０００７】
また、足裏のツボに相当する位置に電気パルス発生回路部の電極端子を配して成ることで、同じく上述した課題を解決した。
【０００８】
そして、足裏のツボに機械的刺激を与えるバイブレーション発生回路部を加えて成ることで、同じく上述した課題を解決した。
【０００９】
さらに、足裏のツボに温熱的刺激を与える遠赤外線発生回路部を加えて成ることで、同じく上述した課題を解決した。
【００１０】
また、電気パルス発生回路部・バイブレーション発生回路部・遠赤外線発生回路部それぞれを遠隔制御するリモートコントロール用の受光部を備えていることで、同じく上述した課題を解決した。
【００１１】
加えて、電気パルス発生回路部に接続されるパッド導子を使用可能にする機能切替部を備えていることで、同じく上述した課題を解決した。
【００１２】
また、足裏のツボに磁気的刺激を与える磁力発生部を加えて成ることで、同じく上述した課題を解決した。
【００１３】
以上のように構成された本発明に係る足裏治療装置において、左右の足のそれぞれのツボに対応する箇所に、左右の両電極端子がそれぞれ接することで、人体を介して両電極端子が導通し、前記ツボに対して電気パルス発生回路部から超長波形パルスによる電圧（電流）が与えられる。このとき電気パルス発生回路部は、足の載置箇所に超長波を発生させて、低刺激で、しかも、血行良好・新陳代謝の活発化が図れるものとなる。
【００１４】
また、機能切替部は、足裏用の電極端子以外の使用に際し、例えば両肩の電子マッサージにあっては、パッド導子を接続し、超長波形パルスを使用させる。
【００１５】
さらに、機械的刺激を足裏のツボ全体に与える場合には、バイブレーション発生回路部を作動させ、足裏用の電極端子を、例えば上下方向もしくは左右方向等に機械的に振動させる。
【００１６】
また、足裏全体に温熱的刺激を与える場合には、遠赤外線発生回路部を作動させ、足裏全体に向けて遠赤外線を発生させる。
【００１７】
【発明の実施の形態】
以下に、図面を参照して本発明の一実施の形態を説明する。足裏治療装置を構成する足裏治療用の装置本体１は、図１乃至図３に示すように、足裏のツボに対し、電気的刺激、機械的刺激、温熱的刺激、磁気的刺激等を作用させるものである。この装置本体１は、図１に示すように、電源部２と、制御回路部３と、電気パルス発生回路部４と、機能切替部５と、バイブレーション発生回路部６と、遠赤外線発生回路部７と、リモートコントロール用の受光部８とにより、基本的に構成されている。
【００１８】
尚、機能切替部５は、電気パルス発生回路部４に接続されるオプションである不図示のパッド導子を使用可能にするためのものであり、足裏以外の部分における電子マッサージができるようにしてある。また、装置本体１は、例えばＡＢＳ樹脂等を用いて形成され、図２に示すように、装置本体１の一端側にはラバー加工の取っ手部９を設け、底部側および外周側にはラバーダンパー１０を設けてある。さらに、装置本体１内に配した、例えば後述する振動板１９の上面側には、足裏のツボに対して磁気的な治療を可能にする磁力発生部４１を備えている。
【００１９】
この装置本体１の上面には、図２に示すように、左右一対の足受け台１１Ａ，１１Ｂが取り付けられ、足受け台１１Ａ，１１Ｂのそれぞれには足裏のツボに対応する箇所に、例えばプラスチック製の筒状部品（接触面は半円加工）に、例えば１４金もしくは１８金の真空メッキ加工等により金メッキを施して成る棒状の足裏用の電極端子１２Ａ，１２Ｂが複数配されている。すなわち、図３に示すように、足受け台１１Ａ，１１Ｂの下方側に配した振動板１９に電極端子１２Ａ，１２Ｂの下端部側が板ゴムを介してナット止め等によって装着され、電極端子１２Ａ，１２Ｂの上端部側が足受け台１１Ａ，１１Ｂに穿設した孔部に、軟質性ゴムパッキンを介して上下左右に振動可能となるように貫挿されている。こうして、左右の足受け台１１Ａ，１１Ｂにそれぞれ両足を載せて、それぞれのツボに対応する箇所に両電極端子１２Ａ，１２Ｂが接することで、人体を介して両電極端子１２Ａ，１２Ｂが導通し、前記ツボに対して超長波形パルスによる電流を与えるようになっている。この電極端子１２Ａ，１２Ｂは、爪先側から踵側にかけての各ツボ位置に散在させた状態で配設されている。
【００２０】
電気パルス発生回路部４は、皮膚に与える刺激を和らげることが可能な波長領域である超長波形パルス（超低周波パルス）による電圧または電流を発生可能としてある。そして、前記機能切替部５によって、足裏用の電極端子１２Ａ，１２Ｂ、パッド導子を接続するためのパッド導子接続端子１３Ａ，１３Ｂのいずれかを選択して超長波形パルスを使用できるようにしてある。
【００２１】
バイブレーション発生回路部６は、足裏用の各電極端子１２Ａ，１２Ｂの全体を、例えば上下方向もしくは前後左右方向等に機械的に振動させて機械的刺激を足裏のツボ全体に与えるものである。具体的には、図３に示すように、足裏用の各電極端子１２Ａ，１２Ｂの下方取り付け側において、例えば鉄板材等による振動板１９がラバー等の筒状の弾性部材２０を介して上下左右方向に移動可能となるように枢着保持され、モータ２１の出力軸に取り付けた偏心カム２２の回転によって振動する振動板１９を介して足裏用の各電極端子１２Ａ，１２Ｂを振動させている。
【００２２】
遠赤外線発生回路部７は、足受け台１１Ａ，１１Ｂに設けられた足型特殊レンズ各部から遠赤外線を発生させて足裏のツボ全体に温熱的刺激を与えるものである。具体的には、図３に示すように、足裏用の各電極端子１２Ａ，１２Ｂの近傍に配置した特殊レンズ２３の下側に固定用ガイド部２４を配し、これに遠赤外線ランプ２５が固定されている。そして、特殊レンズ２３の裏面には複数の円形状突起が同心円状に施されたフレネルレンズ構造にしており、遠赤外線ランプ２５が発する遠赤外線を放射状に拡散することなく直線的に特殊レンズ２３から外側、すなわち足裏方向に透過させるようにしてある。また、これによって遠赤外線ランプ２５による輻射の放熱効果を得ると共に、レンズ強度の向上、製造段階で発生する表面部分の凹凸変形を未然に防止する効果も得られる。さらに、特殊レンズ２３の下方には、複数の放熱変形防止凸を設け、その変形を防止している。
【００２３】
この他、足受け台１１Ａ，１１Ｂや基板、振動板１９にも所定の熱逃げ孔を設け、装置本体１内に発生した熱を効率良く逃がし、温度の上昇を防止している。
【００２４】
リモートコントロール用の受光部８は、電気パルス発生回路部４・バイブレーション発生回路部６・遠赤外線発生回路部７等の本体機能の殆どを、遠隔で制御可能にするものである。具体的には、例えば薄型ボタン電池を電源とするコンパクト設計のリモートコントロール機内に赤外線通信可能な回路を内蔵させ、このリモートコントロール機からの赤外線通信を受けて装置本体１の各機能を作動させるのである。
【００２５】
磁力発生部４１は、具体的には、図３に示すように、足裏用の各電極端子１２Ａ，１２Ｂ近傍の振動板１９上に強力な永久磁石を配置することにより構成されるが、この他、足裏用の各電極端子１２Ａ，１２Ｂを形成する導電材の中央に強力な永久磁石等を埋め込んでも良い。
【００２６】
この他、図２に示すように、装置本体１の左右の足受け台１１Ａ，１１Ｂの中央には、制御回路部３を介して電気パルス発生回路部４・バイブレーション発生回路部６・遠赤外線発生回路部７それぞれを作動させるための操作パネル２６が配されている。この操作パネル２６には、前記リモートコントロール用の受光部８、コース表示・通電ポイント表示ＬＥＤ２７、電源ボタン２８、バイブレーションスイッチボタン２９、遠赤外線スイッチボタン３０、足裏ポイント選択ボタン３１、通電強度調節ボタン３２、通電強度表示ＬＥＤ３３、通電速度切替ボタン（通電の間隔時間を調節する）３４、速度表示ＬＥＤ３５、自動コース表示ＬＥＤ３６、機能切替ボタン３７、機能切替表示ＬＥＤ３８、パッド導子の接続端子（例えばプラグジャック差し込み口）３９が設けられている。尚、操作パネル２６の表面は、抗菌処理されている。
【００２７】
次に、以上のように構成された本発明の使用、動作の一例を説明する。まず、電源ボタン２８を入れて、左右の足受け台１１Ａ，１１Ｂに左右の足をそれぞれ載せる。このとき、両電極端子１２Ａ，１２Ｂが左右の足それぞれのツボに接することで、人体を介して両電極端子１２Ａ，１２Ｂが導通し、前記ツボに対して電気パルス発生回路部４から超長波形パルスによる電圧（電流）を与える。
【００２８】
また、足裏用の電極端子１２Ａ，１２Ｂ以外の使用、例えば両肩の電子マッサージにあっては、パッド導子を接続するためのパッド端子を機能切替部５によって選択して複合波形パルスを使用すれば良い。
【００２９】
また、機械的刺激を足裏のツボ全体に与える場合には、バイブレーションスイッチボタン２９を押すことで、バイブレーション発生回路部６を作動させ、足裏用の各電極端子１２Ａ，１２Ｂを、例えば上下方向もしくは前後左右方向等に機械的に振動させれば良い。
【００３０】
また、足裏のツボ全体に温熱的刺激を与える場合には、遠赤外線スイッチボタン３０を押すことで、遠赤外線発生回路部７を作動させ、左右の足受け台１１Ａ，１１Ｂから遠赤外線を発生させれば良い。
【００３１】
【発明の効果】
本発明は、以上のように構成されているために、低周波特有の皮膚に与える刺激を和らげながら出力の大幅アップを可能にし、効果的に足裏の血行を良好にし、身体の新陳代謝を活発化させ、足裏の治療を安全且つ確実に行なうことができる。
【００３２】
これは本発明が、足裏のツボに電気的刺激を与える電気パルス発生回路部４を備え、該電気パルス発生回路部４は、超長波形パルスによる電圧（電流）を発生可能としたからであり、これにより、低周波特有の皮膚に与える刺激を和らげながら出力の大幅アップを可能にしている。
【００３３】
また、足裏のツボに相当する位置に電気パルス発生回路部４の電極端子１２Ａ，１２Ｂを配して成るので、足裏のツボに確実に電気的刺激を与えることができる。
【００３４】
そして、足裏のツボに機械的刺激を与えるバイブレーション発生回路部６を加えて成るので、足裏のマッサージ治療と共に、ツボを介して身体全体の治療をも可能にする。
【００３５】
さらに、足裏のツボに温熱的刺激を与える遠赤外線発生回路部７を加えて成るので、足裏の温熱治療と共に、ツボを介して身体全体の治療をも可能にする。
【００３６】
また、電気パルス発生回路部４・バイブレーション発生回路部６・遠赤外線発生回路部７それぞれを遠隔制御するリモートコントロール用の受光部８を備えているので、使用中、足受け台１１Ａ，１１Ｂに両足を載せた状態であっても、スイッチ操作のために屈み込む必要がなく、そのままの姿勢で装置本体１の操作が容易に行える。
【００３７】
加えて、電気パルス発生回路部４に接続されるパッド導子を使用可能にする機能切替部５を備えているので、足裏用の電極端子１２Ａ，１２Ｂ以外の使用、例えば両肩の電子マッサージ等にも使用することができる。
【００３８】
さらに、足裏のツボに磁気的刺激を与える磁力発生部４１を加えて成るので、足裏の磁気治療と共に、ツボを介して身体全体の治療をも可能にする。
【図面の簡単な説明】
【図１】本発明の一実施の形態における回路ブロックを示す構成図である。
【図２】同じく、装置本体の平面図である。
【図３】同じく、装置本体の一部断面を示し、電気パルス発生回路部の電極部分の動作、バイブレーションの発生メカニズム、遠赤外線の発生メカニズム、磁力の発生メカニズムそれぞれを説明したものである。
【符号の説明】
１…装置本体
２…電源部
３…制御回路部
４…電気パルス発生回路部
５…機能切替部
６…バイブレーション発生回路部
７…遠赤外線発生回路部
８…受光部
９…取っ手部
１０…ラバーダンパー
１１Ａ…足受け台
１１Ｂ…足受け台
１２Ａ…電極端子
１２Ｂ…電極端子
１３Ａ…バッド導子接続端子
１３Ｂ…バッド導子接続端子
１９…振動板
２０…弾性部材
２１…モータ
２２…偏心カム
２３…特殊レンズ
２４…固定用ガイド部
２５…遠赤外線ランプ
２６…操作パネル
２７…コース表示・通電ポイント表示ＬＥＤ
２８…電源ボタン
２９…バイブレーションスイッチボタン
３０…遠赤外線スイッチボタン
３１…足裏ポイント選択ボタン
３２…通電強度調節ボタン
３３…通電強度表示ＬＥＤ
３４…通電速度切替ボタン
３５…速度表示ＬＥＤ
３６…自動コース表示ＬＥＤ
３７…機能切替ボタン
３８…機能切替表示ＬＥＤ
３９…パッド導子の接続端子
４１…磁力発生部
【図１】
2004329606.tif 000003
【図２】
2004329606.tif 000004
【図３】
2004329606.tif 000005